(57)【特許請求の範囲】
【請求項１】
周壁によって囲まれることにより形成され、洗い場排水が上部の受入口から流入する受入室と、
該受入口に配置されたヘアキャッチャーと、
該周壁に設けられた、浴槽排水を該受入室内に流入させる導入口と、
該導入口に連通した浴槽排水流入流路と、
該周壁の下部に設けられた受入室排出口と、
該受入室排出口に連通した排水トラップ流出口と
を備え、該導入口から該受入室内に浴槽排水を接線方向に流入させ、該受入室内に旋回流を形成することができる浴槽及び洗い場用の排水トラップにおいて、
該導入口の位置、該導入口の開口面積、該導入口からの該受入室内への水の流入方向、該受入室排出口の位置及び該受入室排出口の開口面積の少なくとも１つを変更する手段を備え、
前記周壁の一部が着脱可能なプレートによって構成されており、
該プレートに前記導入口が設けられており、
該プレートを上下反転させることにより導入口の上下位置が変更されることを特徴とする排水トラップ。
【請求項２】
周壁によって囲まれることにより形成され、洗い場排水が上部の受入口から流入する受入室と、
該受入口に配置されたヘアキャッチャーと、
該周壁に設けられた、浴槽排水を該受入室内に流入させる導入口と、
該導入口に連通した浴槽排水流入流路と、
該周壁の下部に設けられた受入室排出口と、
該受入室排出口に連通した排水トラップ流出口と
を備え、該導入口から該受入室内に浴槽排水を接線方向に流入させ、該受入室内に旋回流を形成することができる浴槽及び洗い場用の排水トラップにおいて、
該導入口の位置、該導入口の開口面積、該導入口からの該受入室内への水の流入方向、該受入室排出口の位置及び該受入室排出口の開口面積の少なくとも１つを変更する手段を備え、
前記周壁の一部が上下動可能なプレートによって構成されており、
該プレートを下位に位置させることにより該プレートの上側に前記導入口が形成され、
該プレートを上位に位置させることにより、該プレートの下側に前記導入口が形成されることを特徴とする排水トラップ。
【請求項３】
周壁によって囲まれることにより形成され、洗い場排水が上部の受入口から流入する受入室と、
該受入口に配置されたヘアキャッチャーと、
該周壁に設けられた、浴槽排水を該受入室内に流入させる導入口と、
該導入口に連通した浴槽排水流入流路と、
該周壁の下部に設けられた受入室排出口と、
該受入室排出口に連通した排水トラップ流出口と
を備え、該導入口から該受入室内に浴槽排水を接線方向に流入させ、該受入室内に旋回流を形成することができる浴槽及び洗い場用の排水トラップにおいて、
該導入口の位置、該導入口の開口面積、該導入口からの該受入室内への水の流入方向、該受入室排出口の位置及び該受入室排出口の開口面積の少なくとも１つを変更する手段を備え、
前記導入口は前記受入室に延出した短管状であり、水の吐出方向を変更するように変形可能となっていることを特徴とする排水トラップ。
【請求項４】
周壁によって囲まれることにより形成され、洗い場排水が上部の受入口から流入する受入室と、
該受入口に配置されたヘアキャッチャーと、
該周壁に設けられた、浴槽排水を該受入室内に流入させる導入口と、
該導入口に連通した浴槽排水流入流路と、
該周壁の下部に設けられた受入室排出口と、
該受入室排出口に連通した排水トラップ流出口と
を備え、該導入口から該受入室内に浴槽排水を接線方向に流入させ、該受入室内に旋回流を形成することができる浴槽及び洗い場用の排水トラップにおいて、
該導入口の位置、該導入口の開口面積、該導入口からの該受入室内への水の流入方向、該受入室排出口の位置及び該受入室排出口の開口面積の少なくとも１つを変更する手段を備え、
前記周壁に内筒が内嵌され、該内筒の内部が前記受入室となっており、
該周壁と内筒にそれぞれ水の通過部が設けられており、
該内筒の周方向の向きを変更することにより周壁の通過部と内筒の通過部との重なり状態が変更され、内筒上部からの受入室内への水の導入と内筒下部からの受入室内への水の導入とが切り替えられることを特徴とする排水トラップ。
【請求項５】
封水筒によって囲まれることにより形成され、洗い場排水が上部の受入口から流入する受入室と、
該受入口に配置されたヘアキャッチャーと、
該受入室の下側を通って延在し、一端側から浴槽排水が流入し、他端側が排水トラップ流出口に連なる浴槽排水流路と、
該浴槽排水流路の水の一部を分流させ、吐出部から該受入室内に吐出させるための導水部材と、
該封水筒の下部又は下側に設けられた受入室排出口と、
を備えてなる浴槽及び洗い場用の排水トラップにおいて、
該吐出部の位置及び該吐出部の開口面積の少なくとも一方を変更する手段を備え、
該導水部材の上部に第１の吐出部が設けられ、該導水部材の下部に第２の吐出部が設けられており、
該第１の吐出部は、水を前記受入室内に旋回方向に吐出させるように設けられており、
該第２の吐出部に開閉手段が設けられていることを特徴とする排水トラップ。
【請求項６】
請求項５において、前記導水部材は、導水部材本体と、該導水部材本体に装着された、前記第１の吐出部を有する冠状部とを備え、
該導水部材本体の下部に前記第２の吐出部が設けられていることを特徴とする排水トラップ。
【請求項７】
洗い場排水が上部の受入口から流入する受入室と、
該受入口に配置されたヘアキャッチャーと、
浴槽排水の少なくとも一部を該受入室内に流入させる導入口と
を備えた浴槽及び洗い場用の排水トラップにおいて、
該導入口の上下位置が変更可能とされ、
該導入口の上下位置を変更することで、該受入室内に浴槽排水を接線方向に流入させ、該受入室内に旋回流を形成する旋回モードと、該旋回モードよりも浴槽排水流量が多い高速排水モードとを切り替えることが可能とされたことを特徴とする排水トラップ。
【発明の詳細な説明】
【技術分野】
【０００１】
本発明は、浴槽及び洗い場用の排水トラップに係り、特に洗い場排水を受け入れる受入室を有する排水トラップにおいて、浴槽排水を受入室内に接線方向に流入させて旋回させる排水トラップに関する。
【背景技術】
【０００２】
洗い場排水を受け入れる受入室を有する排水トラップにおいて、該浴槽排水を受入室内に接線方向に流入させて該受入室内に旋回流を形成するよう構成した排水トラップが特許文献１（特開２００９−１１４８１４号公報）に記載されている。このトラップの洗い場排水受入口には、上方が開放したカゴ（篭）状のヘアキャッチャーが着脱自在に装着されている。
【０００３】
浴槽排水がトラップ内に流入し、トラップ内に旋回流が形成されると、このヘアキャッチャーが旋回流に浸漬され、ヘアキャッチャー内の毛髪などのゴミがヘアキャッチャーの中心に集められる。これにより、ゴミを摘んで捨てることができるようになると共に、ヘアキャッチャーの内外面が旋回流に浸漬されて浄化され、ヌメリ等が除去されるという作用効果が奏される。しかし、その一方で、旋回流を発生させた場合、浴槽排水をトラップ内で滞留させるため、浴槽の排水時間が長くなることがある。
【０００４】
この問題を解決するものとして、特許文献１には、排水トラップを迂回するバイパス流路と、浴槽排水流量が多くなるとバイパス流量を自動的に増大させるバイパス流量調節用の堰又は弁を設けることが記載されている。
【先行技術文献】
【特許文献】
【０００５】
【特許文献１】特開２００９−１１４８１４号公報
【発明の概要】
【発明が解決しようとする課題】
【０００６】
上記特許文献１の排水トラップにあっては、浴槽排水流量が多くなると自動的にバイパス流量が増大する。したがって、旋回流を発生させヘアキャッチャーの掃除をしたいとき、浴槽排水を高速で排水させたいとき、という使用者の都合に合わせてバイパス流量を変更することはできなかった。
【０００７】
本発明は、浴槽排水を受入室内に接線方向に導入して旋回させる排水トラップにおいて、流量に関わりなく、使用者の意思に応じて排水トラップの受入室を通過する流量を変更することができる排水トラップを提供することを目的とする。
【課題を解決するための手段】
【０００８】
第１態様の排水トラップは、周壁によって囲まれることにより形成され、洗い場排水が上部の受入口から流入する受入室と、該受入口に配置されたヘアキャッチャーと、
該周壁に設けられた、浴槽排水を該受入室内に流入させる導入口と、該導入口に連通した浴槽排水流入流路と、該周壁の下部に設けられた受入室排出口と、該受入室排出口に連通した排水トラップ流出口とを備え、該導入口から該受入室内に浴槽排水を接線方向に流入させ、該受入室内に旋回流を形成することができる浴槽及び洗い場用の排水トラップにおいて、該導入口の位置、該導入口の開口面積、該導入口からの該受入室内への水の流入方向、該受入室排出口の位置及び該受入室排出口の開口面積の少なくとも１つを変更する手段を備えたことを特徴とするものである。
【０００９】
第２態様の排水トラップでは、前記周壁の一部が着脱可能なプレートによって構成されており、該プレートに前記導入口が設けられており、該プレートを上下反転させることにより導入口の上下位置が変更される。
【００１０】
第３態様の排水トラップでは、前記周壁の一部が上下動可能なプレートによって構成されており、該プレートを下位に位置させることにより該プレートの上側に前記導入口が形成され、該プレートを上位に位置させることにより、該プレートの下側に前記導入口が形成される。
【００１１】
第４態様の排水トラップでは、前記導入口は前記受入室に延出した短管状であり、水の吐出方向を変更するように変形可能となっている。
【００１２】
第５態様の排水トラップでは、前記周壁に内筒が内嵌され、該内筒の内部が前記受入室となっており、該周壁と内筒にそれぞれ水の通過部が設けられており、該内筒の周方向の向きを変更することにより周壁の通過部と内筒の通過部との重なり状態が変更され、内筒上部からの受入室内への水の導入と内筒下部からの受入室内への水の導入とが切り替えられる。
【００１３】
第６態様の排水トラップは、封水筒によって囲まれることにより形成され、洗い場排水が上部の受入口から流入する受入室と、該受入口に配置されたヘアキャッチャーと、該受入室の下側を通って延在し、一端側から浴槽排水が流入し、他端側が排水トラップ流出口に連なる浴槽排水流路と、該浴槽排水流路の水の一部を分流させ、吐出部から該受入室内に吐出させるための導水部材と、該封水筒の下部又は下側に設けられた受入室排出口と、を備えてなる浴槽及び洗い場用の排水トラップにおいて、該吐出部の位置及び該吐出部の開口面積の少なくとも一方を変更する手段を備えたことを特徴とするものである。
【００１４】
第７態様の排水トラップでは、第６態様において、該導水部材の上部に第１の吐出部が設けられ、該導水部材の下部に第２の吐出部が設けられており、該第１の吐出部は、水を前記受入室内に旋回方向に吐出させるように設けられており、該第２の吐出部に開閉手段が設けられている。
【００１５】
第８態様の排水トラップでは、第７態様の前記導水部材は、導水部材本体と、該導水部材本体に装着された、前記第１の吐出部を有する冠状部と備え、該導水部材本体の下部に前記第２の吐出部が設けられている。
【００１６】
第９態様の排水トラップは、洗い場排水が上部の受入口から流入する受入室と、該受入口に配置されたヘアキャッチャーと、浴槽排水の少なくとも一部を該受入室内に流入させる導入手段とを備えた浴槽及び洗い場用の排水トラップにおいて、該受入室内に浴槽排水を接線方向に流入させ、該受入室内に旋回流を形成する旋回モードと、該旋回モードよりも浴槽排水流量が多い高速排水モードとを切り替えることが可能とされたことを特徴とするものである。
【発明の効果】
【００１７】
本発明の第１〜第５態様の排水トラップにあっては、導入口の位置、導入口の開口面積、導入口からの受入室への水の流入方向、排出口の位置、排出口の開口面積の少なくとも１つを変更することにより、浴槽排水を受入室の上部に接続方向に流入させたり、浴槽排水を排出口に短絡的に流すように切り替えることができる。
【００１８】
浴槽排水を受入室の上部に接線方向に流入させる流路選択とすることにより、受入室の上部に強力な旋回流を形成することができる。これにより、ヘアキャッチャー内の毛髪などのゴミがヘアキャッチャーの中心にくるくると効率よく集められる。また、ヘアキャッチャーの内外面が強い旋回流に浸漬されて強力に浄化され、ヌメリ等が除去される。なお、以下、このようにヘアキャッチャーを旋回法に浸すモードを「旋回モード」ということがある。
【００１９】
浴槽排水を排出口に短絡的に流すように流路選択することにより、受入室を通過する浴槽排水流量を増加させることができる。これにより、浴槽排水を短時間で排出させることができる。なお、このように浴槽排水をこのように短時間で排出させるモードを「高速排水モード」ということがある。
【００２０】
本発明の第６〜８態様の排水トラップにあっては、例えば第２の吐出部を閉じることにより、浴槽排水流路から分流させた浴槽排水を受入室の上部に接続方向に流入させて旋回モードとし、受入室の上部に強力な旋回流を形成することができる。これにより、ヘアキャッチャー内の毛髪などのゴミがヘアキャッチャーの中心にくるくると効率よく集められる。また、ヘアキャッチャーの内外面が強い旋回流に浸漬されて強力に浄化され、ヌメリ等が除去される。
【００２１】
また、第２の吐出部を開放すると、浴槽排水流路から分流して受入室を通過する浴槽排水流量が増加する。これにより、浴槽排水を短時間で排出させることができる高速排水モードとなる。
【図面の簡単な説明】
【００２２】
【図１】実施の形態に係る排水トラップの斜視図である。
【図２】図１の排水トラップの長手方向の縦断面図である。
【図３】図１の排水トラップの断面斜視図である。
【図４】図１の排水トラップの断面斜視図である。
【図５】（ａ）図は図２のＶ−Ｖ線断面図、（ｂ）図は（ａ）図のＢ−Ｂ線断面図である。
【図６】実施の形態に係る排水トラップを備えた浴室の概略的な斜視図である。
【図７】異なる実施の形態を示す断面図である。
【図８】図７において導入口位置を変更した状態を示す断面図である。
【図９】異なる実施の形態を示す断面図である。
【図１０】異なる実施の形態を示す断面図である。
【図１１】別の実施の形態に係る排水トラップの旋回モードの斜視図である。
【図１２】図１１の排水トラップの断面斜視図である。
【図１３】図１１の排水トラップの高速排水モード斜視図である。
【図１４】図１３の排水トラップの断面斜視図である。
【図１５】図１２のXVa−XVa及びXVb−XVb断面図である。
【図１６】図１４のXVIa−XVIa及びXVIb−XVIb断面図である。
【図１７】別の実施の形態に係る排水トラップの斜視図である。
【図１８】図１７のXVIII−XVIII断面図である。
【図１９】図１７のXIX−XIX断面図である。
【図２０】導水部材本体、封水筒及びノズル体の分解斜視図である。
【図２１】導水部材本体、封水筒及びノズル体の組付斜視図である。
【図２２】導水部材本体の斜視図である。
【図２３】導水部材本体の斜視図である。
【発明を実施するための形態】
【００２３】
以下に、図面を参照して本発明の実施の形態について説明する。
【００２４】
＜第１の実施の形態＞
第１図〜第６図は第１の実施の形態を示すものであり、第１〜３，５図は旋回モードを示し、第４図は高速排水モードを示している。第６図は浴室の全体構成を示している。
【００２５】
第６図の通り、浴室１の床は浴槽パン（図示略）と洗い場パン２とによって構成され、該浴槽パン上に浴槽３が設置されている。洗い場パン２の浴槽３側には排水枡４が設けられている。該排水枡４は洗い場パン２と一体に凹み状に形成されている。この排水枡４の上面には排水目皿５が装着されている。これらの浴槽パンの排水口及び洗い場パン２の排水枡４に対し、下側から排水トラップ１０が連結されている。
【００２６】
第１，２図に示すように、排水トラップ１０の長手方向の略中央の上面には、洗い場パン２からの排水が排水枡４を通り流入する洗い場排水受入口１１が設けられている。排水トラップ１０の長手方向一端側の上面には、浴槽３からの排水がダクト部１４を介して流入する浴槽排水流入口１２が設けられ、その近傍には浴槽パンからの排水が流入する浴槽パン排水流入口１３が設けられている。また、この排水トラップ１０の他端側には、封水室３０からの水が流出する排水トラップ流出口３１が設けられている。この排水トラップ流出口３１に排水管６（第６図）が接続されている。
【００２７】
この排水トラップ１０内には、洗い場排水受入口１１の下側に受入室２０が設けられている。この受入室２０は、円筒状の周壁２１によって囲まれている。周壁２１の一部は上下方向に着脱可能なプレート２１Ｐにて構成されている。
【００２８】
この実施の形態では、受入室２０を迂回して浴槽排水流入口１２と封水室３０とを短絡的に連通するバイパス流路４０が設けられている。このバイパス流路４０は、周壁２１の一部の外側を通って延在している。プレート２１Ｐは、このバイパス流路４０に臨んでいる。
【００２９】
バイパス流路４０の上側半分は仕切板４１で封鎖されており、該仕切板４１の下側を浴槽排水が通過する。仕切板４１の下端は、後述の堤状部３０ａよりも低位となっている。なお、仕切板４１を設ける代りに、バイパス流路４０の天井部を仕切板４１付近で低くしてもよい。
【００３０】
プレート２１Ｐは、円筒状周壁２１の一部を上下方向に切り取った形状の円弧状湾曲板よりなり、その側辺にはガイド用凸条２１ｂが上下方向に延設されている。周壁２１には、この凸条２１ｂが係合した凹条２１ａが設けられている。プレート２１Ｐは、周壁２１の上方から凸条２１ｂを凹条２１ａに嵌合させるようにして周壁２１に装着される。
【００３１】
第１〜３，５図の通り、プレート２１Ｐの上部に、周方向に延在した導入口２２が設けられている。プレート２１Ｐを第１〜３，５図と上下に逆にすると、第４図の通り導入口２２はプレート２１Ｐの下部に位置する。この導入口２２が上部に位置する第１〜３，５図が旋回モードであり、導入口２２が下部に位置する第４図が高速排水モードである。
【００３２】
旋回モードとした場合における受入室２０の底面から導入口２２の下縁までの高さは、該受入室底面からヘアキャッチャー３７の下端までの高さの５０〜９０％特に７０〜８０％程度であることが好ましい。
【００３３】
なお、通常、ヘアキャッチャー３７の中央部底面から受入室２０の底面までの距離（高さ）は５５〜１５０ｍｍ特に６０〜９０ｍｍ程度であり、導入口２２の上下幅は５〜７０ｍｍ特に１０〜２５ｍｍ程度である。旋回モードにおける導入口２２の下縁の受入室底面からの高さは４０〜１６０ｍｍ特に５０〜１００ｍｍ程度が好ましく、高速排水モードにおける導入口２２の上縁の受入室底面からの高さは５〜４０ｍｍ特に１０〜３５ｍｍ程度が好ましい。
【００３４】
周壁２１の排水トラップ流出口３１側にあっては、周壁２１の下端と排水トラップ１０の底面との間に受入室排出口２３が設けられている。周壁２１と排水トラップ流出口３１との間に封水室３０が設けられている。封水室３０の排水トラップ流出口３１側に堤状部３０ａが設けられている。堤状部３３ａの頂面のレベルは封水室３０の底面及び排水トラップ流出口３１の底面よりも上位となっており、封水室３０内には堤状部３０ａの頂面レベルにまで封水が溜る。周壁２１の受入室排出口２３はこの封水中に没するように設けられている。
【００３５】
洗い場排水受入口１１の内周面には雌ネジ（第２図参照。第３，４図では図示略）が設けられ、トラップ取付フランジ３４が螺着されている。本体側の上面部３５と該フランジ３４との間で、排水升４の底部のトラップ取付用開口の縁部をパッキンを介して挟持することにより排水トラップ１０が洗い場パン２に固着される。
【００３６】
このトラップ取付フランジ３４の内周面の凸部３６に係止させてヘアキャッチャー３７が該トラップ取付フランジ３４に内嵌状に着脱可能に装着されている。
【００３７】
このように構成された排水トラップ１０においては、洗い場パン２からの排水は、排水枡４及び洗い場排水受入口１１を通って受入室２０に流入し、受入室排出口２３、封水室３０及び排水トラップ流出口３１から排水管６に流出する。洗い場排水や浴槽排水の流出が停止すると、受入室２０及び封水室３０内には、封水が残り、この封水に受入室排出口２３が没するので、排水管６の臭気が洗い場排水受入口１１から浴室内に逆流することが防止される。
【００３８】
次に、この排水トラップ１０の浴槽排水の排出時の作動について詳細に説明する。
【００３９】
［旋回モード］
第１〜３，５図の通り、導入口２２をプレート２１Ｐの上部側に位置させておく。浴槽３からの排水は、浴槽排水流入口１２及びダクト部１４を通り、導入口２２から受入室２０内へ接線方向に流出するため、受入室２０内に旋回流が形成されるようになる。また、この浴槽排水の流入により受入室２０内の水位が上昇し、ヘアキャッチャー３７が旋回流に浸漬され、ヘアキャッチャー３７内の毛髪などのゴミがヘアキャッチャー３７の中心に集められる。これにより、ゴミを摘んで捨てることができるようになる。また、ヘアキャッチャー３７の内外面が旋回流に浸漬されて浄化され、ヌメリ等が除去される。
【００４０】
この実施の形態では、導入口２２が受入室２０の上部に設けられており、受入室２０内の上部、すなわち、ヘアキャッチャー３７付近に強力な旋回流が形成される。これにより、ヘアキャッチャー３７内のゴミが効率よく中心付近に集められると共に、ヘアキャッチャー３７が強力な旋回流によって洗浄される。なお、浴槽排水の水位が低いときでも受入室２０内の上部における旋回流が十分に強いものとなる。
【００４１】
また、この実施の形態では、ダクト部１４が受入室２０の略接線方向に直線状に延在しているので、浴槽排水が、その水勢をそがれることなく導入口２２から受入室２０内に流入するので、これによっても受入室２０内の旋回流が強力なものとなる。
【００４２】
［高速排水モード］
浴槽３からの排水を高速で排出するモードとするときには、ヘアキャッチャー３７を外し、指を受入口１１から差し込んでプレート２１Ｐを上方に引き上げて取り出し、次いで第４図のように、プレート２１Ｐを上下逆にして装着し、導入口２２を下位とする。その後、ヘアキャッチャー３７を再装着する。この高速排水モードにあっては、浴槽３からの排水は、導入口２２から受入室２０内に流入した後、周壁２１に沿って約１／４周だけ流れると受入室排出口２３に到達し、多くの水はそのまま受入室排出口２３から封水室３０に流出するようになる。このため、浴槽排水は大流量にて受入室２０を通過するようになり、浴槽３の水が短時間で排出されるようになる。
【００４３】
なお、プレート２１Ｐの上下向きの変更は容易であり、一般ユーザーでも簡単に行うことができる。
【００４４】
＜第２の実施の形態＞
第７図（ａ）及び第８図は、第２の実施の形態に係る排水トラップ１０Ａを示すものであり、前記第３，４図と同一箇所の断面を示している。第７図（ｂ）は第７図（ａ）のＢ−Ｂ線断面図である。
【００４５】
この実施の形態では、第１の実施の形態のプレート２１Ｐの代わりにプレート２１Ｑが設けられている。このプレート２１Ｑは、導入口２２が設けられておらず、またプレート２１Ｐよりも上下方向長さが短くなっている他は同一構成となっている。
【００４６】
周壁２１には、このプレート２１Ｑが上下方向スライド可能に係合した開口部が設けられている。開口部の上下方向長さはプレート２１Ｑの上下方向長さよりも、第３図の状態における前記導入口２２の下縁からプレート２１Ｐの上端までの距離分だけ長いものとなっている。前記プレート２１Ｐと同様に、第７図（ｂ）の通り、プレート２１Ｑの側面の凸条２１ｂが周壁２１の開口部の側面の凹条２１ａに係合することにより、プレート２１Ｑが上下方向にスライド可能となっている。
【００４７】
図示は省略するが、周壁２１の開口部の側面に微小突起が設けられており、プレート２１Ｑを最上位にまで移動させると微小突起がプレート２１Ｑの下端の側部に係合し、プレート２１Ｑから指を離しても、プレート２１Ｑはその位置に停止するよう構成されている。なお、微小突起以外の各種の係止機構を採用してもよい。
【００４８】
第２の実施の形態のその他の構成は第１の実施の形態と同一であり、第７図（ａ）及び第８図のその他の構成は第３図及び第４図と同一であり、同一符号は同一部分を示している。プレート２１Ｑの周方向位置はプレート２１Ｐと同一である。
【００４９】
この第２の実施の形態においては、第７図のようにプレート２１Ｑを最下位に位置させると、プレート２１Ｑの上側に導入口２２Ａが形成され、旋回モードとなる。プレート２１Ｑを第８図のように最上位に位置させると、プレート２１Ｑの下側に導入口２２Ｂが形成され、高速排水モードとなる。旋回モード及び高速排水モードにおける水の流れは第１の実施の形態の旋回モード及び高速排水モードの場合と同一である。
【００５０】
＜第３の実施の形態＞
第９，１０図は、第３の実施の形態に係る排水トラップ１０Ｂを示すものであり、前記第３，４図と同一箇所の断面を示している。
【００５１】
この第３の実施の形態では、可動式のプレート２１Ｐを省略し、受入室２０の全周が周方向に連続した周壁２１によって囲まれている。この実施の形態では、導入口２２Ｃとして可撓性のチューブ（短管）よりなるものが周壁２１の上部に設けられている。この導入口２２Ｃは、前記導入口２２の旋回モード位置（第３図における導入口２２の位置）に配置されている。導入口２２Ｃは、その流出水を周壁２１の内周面に沿って流すように周壁２１の内周面に沿って延在している。
【００５２】
導入口２２Ｃは、人が指で触って吐水方向を変更することができ、しかも吐水の水勢によっては吐水方向が変化しない程度の柔軟性を有している。導入口２２Ｃを構成するチューブとしては、塑性変形可能な金属線を埋設した軟質合成樹脂チューブなどが例示される。
【００５３】
第３の実施の形態のその他の構成は第１の実施の形態と同一であり、第９，１０図のその他の符号は第３，４図と同一部分を示している。
【００５４】
この排水トラップ１０Ｂを旋回モードとするときには、第９図の通り、導入口２２Ｃを略水平とする。これにより、導入口２２Ｃからの流出水によって受入室２０内の上部に旋回流が形成される。この旋回モードにおける受入室２０内の水の流れは上記各実施の形態と同じである。
【００５５】
高速排水モードとするときには、第１０図の通り、導入口２２Ｃの流出方向を、受入室排出口２３に向う斜め下向きとする。これにより、導入口２２Ｃからの流出水が周壁２１に沿って斜め下方へ約１／４周ほど流れた後、受入室排出口２３に到達する。そのため、導入口２２Ｃから流出した水の多くは、そのまま受入室排出口２３から流出するようになる。この結果、受入室２０の通過流量が多くなり、浴槽排水が短時間で排出される。
【００５６】
＜第４の実施の形態＞
第１１図〜第１６図を参照して第４の実施の形態に係る排水トラップについて説明する。
【００５７】
第１１図はこの排水トラップの旋回モードを示す分解斜視図、第１２図は旋回モードを示す縦断面図、第１３図はこの排水トラップの高速排水モードを示す分解斜視図、第１４図は高速排水モードを示す縦断面図であり、第１２図及び第１４図はそれぞれ前記第３，４図と同様箇所の断面を示している。第１５図の（ａ）図は第１２図のXVa−XVa断面図、第１５図の（ｂ）図は第１２図のXVb−XVb断面図、第１６図の（ａ）図は第１４図のXVIa−XVIa断面図、第１６図の（ｂ）図は第１４図のXVIb−XVIb断面図である。
【００５８】
この実施の形態では、周壁２１に、バイパス流路４０に臨むようにして縦長の開放部２１ｉが設けられている。開放部２１ｉは周壁２１の上端から下端にまで周壁２１を縦断している。開放部２１ｉの位置及び周方向幅は前記プレート２１Ｐ，２１Ｑの位置及び周方向幅と同様である。受入室排出口２３は上記各実施の形態と同様に、周壁２１の封水室３０側の下端部に設けられている。
【００５９】
この実施の形態では、この周壁２１に上方から着脱可能に内筒５０が内嵌している。この内筒５０は円筒形であり、上部に上側導入口５１が設けられ、１８０°反対側の下部に下側導入口５２が設けられている。下側導入口５２から周方向に±９０°ずれた位置関係にて流出部５３，５４が設けられている。流出部５３，５４は内筒５０の軸心を挟んで１８０°反対側に設けられている。導入口５１，５２及び流出部５３，５４はそれぞれ周方向に所定長さ延在している。
【００６０】
内筒５０は、周壁２１に内嵌させた状態で、受入口１１から手を差し込んで回すことが可能となっている。即ち、ヘアキャッチャー３７（第１１図〜第１６図では図示略）を取り外し、受入口１１から受入室２０内に手を差し込んで導入口５１，５２又は流出部５３，５４に指を引っ掛けて内筒５０を回し、内筒５０の向きを調整することができる。
【００６１】
第４の実施の形態のその他の構成は第１の実施の形態と同一であり、同一符号は同一部分を示している。
【００６２】
この排水トラップ１０Ｃを旋回モードとするには、第１１，１２，１５図のように、上側導入口５１をバイパス流路４０に臨ませるように内筒５０の向きを定める。
【００６３】
この状態では、流出部５４が周壁２１の受入室排出口２３に対面して開放状態となり、下部導入口５２及び流出部５３は周壁２１に重なって閉鎖状態となっている。
【００６４】
ダクト部１４からの浴槽排水は、第１５図（ａ）の通り、上部導入口５１から受入室２０内の上部に接線方向に流入し、受入室２０内に旋回流を形成する。ヘアキャッチャー３７がこの旋回流に浸漬される。受入室２０内を旋回する水は、内筒５０の内周面に沿って螺旋状に下降し、第１５図（ｂ）の通り流出部５４及び受入室排出口２３を通って封水室３０へ流出する。
【００６５】
高速排水モードとするには、内筒５０を第１３，１４，１６図の向きとする。この状態では、下部導入口５２がバイパス流路４０に臨み、流出部５３が周壁２１の受入室排出口２３に対面して開放状態となる。上記導入口５１及び流出口５４は周壁２１に重なって閉鎖状態となる。
【００６６】
浴槽３からの排水は、ダクト部１４、下部導入口５２を通って受入室２０内の下部に流入する。この水は、内筒５０の内周面に沿って約１／４周だけ流れると流出部５３に到達し、多くの水はそのまま流出部５３及び受入室排出口２３を通って封水室３０へ流出する。このため、浴槽排水は大流量にて受入室２０を通過するようになり、浴槽３の水が短時間で排出されるようになる。
【００６７】
＜第５の実施の形態＞
第１７図〜第２３図を参照して第５の実施の形態について説明する。
【００６８】
第１７図は第５の実施の形態に係る排水トラップ１０Ｄの斜視図、第１８図は第１７図のXVIII−XVIII断面図、第１９図は第１７図のXIX−XIX断面図である。第２０図は導水部材本体、封水筒及びノズル体の分解斜視図、第２１図は導水部材本体、封水筒及びノズル体の組付斜視図、第２２，２３図は導水部材本体の斜視図であり、第２２図は旋回モードを示し、第２３図は高速排水モードを示している。
【００６９】
第１７図に示すように、上記排水トラップ１０〜１０Ｃと同様に、排水トラップ１０Ｄの長手方向の略中央の上面には、洗い場パンからの排水が流入する洗い場排水受入口１１が設けられ、長手方向の一端側にダクト部１４が設けられ、他端側に排水トラップ流出口３１が設けられている。
【００７０】
この排水トラップ１０Dの上面に洗い場排水受入口１１が設けられ、該洗い場排水受入口１１の下側に封水室３０が設けられている。この封水室３０は排水トラップ流出口３１に連通している。この封水室３０の底面を構成する底板６１の下側には、ダクト部１４と排水トラップ流出口３１とを連通する浴槽排水流路６０が設けられている。
【００７１】
洗い場排水受入口１１の内周面の内向き鍔部６４に係止されるようにして封水筒６５が封水室３０内に垂設されている。この封水筒６５内が受入室２０（第１８，１９図）となっている。
【００７２】
この封水筒６５は、上端にフランジ部６５ａ（第２０図）が設けられており、このフランジ部６５ａが鍔部６４に係止されている。封水筒６５の下端と底板６１との間には受入室排出口としてクリアランスが設けてあり、封水筒６５内の水がこのクリアランスを通って流出する。なお、封水筒６５の下端を底板６１に当接させ、代りに封水筒６５の下部に切欠又は開口よりなる受入室排出口を設けてもよい。
【００７３】
封水室３０の底面の底板６１は、排水トラップ流出口３１近傍の堤状部３０ａに近づくほど高位となるように傾斜している。封水室３０内には、この堤状部３０ａレベルまで封水が溜まる。前記封水筒６５は、その下部がこの封水中に没する長さを有している。
【００７４】
第２０図の通り、封水筒６５のフランジ部６５ａからガイド用突起６５ｂが上方に突設されている。このガイド用突起６５ｂは、封水筒６５の直径方向に対峙して２個設けられているが、さらに多く設けられてもよい。このガイド用突起６５ｂは、長方形板状であり、板面を封水筒６５の半径方向としている。このガイド用突起６５ｂは、後述のノズル体８０の切欠部８２と係合してノズル体８０を係止する役割をもつが、封水筒６５を着脱するときに摘むための摘み部としても利用できる。
【００７５】
第１７，１９図の通り、前記各排水トラップ１０〜１０Ｃと同様に、洗い場排水受入口１１にはトラップ取付フランジ３４が螺着されており、第１９図のように、本体側の上面部３５と該フランジ３４との間で、排水升４の底部のトラップ取付用開口４ａの縁部をパッキンを介して挟持することにより排水トラップ１０Ｄが洗い場パン２に固着される。
【００７６】
このトラップ取付フランジ３４の内周面の凸部３６に係止させてヘアキャッチャー３７が該トラップ取付フランジ３４に内嵌状に着脱可能に装着されている。
【００７７】
このヘアキャッチャー３７の中心部の下方において、前記底板６１に開口６９（第１８，１９図）が設けられ、この開口６９に導水部材本体７０が取り付けられている。
【００７８】
この導水部材本体７０は、大径筒状の基端環状部７１と、該基端環状部７１の上部から上方に分岐した複数個（この実施の形態では２個）の分岐管部７２とを有している。なお、第１９図の通り、基端環状部７１の外周面にフランジ部７３と爪部７４が設けられており、該フランジ部７３と爪部７４が開口６９の縁部に対し上下から挟むように係合することにより、導水部材本体７０が底板６１に着脱可能に取り付けられている。
【００７９】
分岐管部７２は上方に向って開口した角筒状である。該分岐管部７２の上端に対しノズル体８０が上方から上下動自在に嵌合している。第２０図の通り、ノズル体８０は平たいリング状の周板部８１と、該周板部８１の外周縁から切り込まれた形状の切欠部８２と、該周板部８１の直径方向に対峙する２箇所に設けられた冠状部８３と、該冠状部８３の一方の周方向指向面に設けられた第１の吐出部としての吐出口８４を有している。この吐出口８４は、周板部８１の上面に向って水を流出させるように、周板部８１よりも上位側に設けられている。なお、冠状部８３の一部は周板部８１の内周よりも内方へ張り出しており、吐出口８４の一部は周板部８１の内周縁よりも内方に存在している。
【００８０】
冠状部８３は、分岐管部７２の上端に上下動自在に嵌合し、切欠部８２が前記ガイド用突起６５ｂと係合している。各冠状部８３には吐出口８４は１個ずつ設けられており、各分岐管部７２からの水は各吐出口８４から同一旋回方向に流出する。上記の導水部材本体７０と、冠状部８３とによって導水部材が構成される。
【００８１】
この実施の形態では、第２２，２３図の通り、この導水部材７０の基端環状部７１に第２の吐出部としてのバイパス口７６が設けられ、スライド式の開閉蓋７７が該バイパス口７６に装着されている。
【００８２】
この開閉蓋７７には摘み７７ａが設けられており、該摘み７７ａを摘んで開閉蓋７７をスライドさせることが可能となっている。
【００８３】
図示は省略するが、基端環状部７１の内周面には、この開閉蓋７７をスライド可能に案内するガイド溝が設けられており、開閉蓋７７を第２２図に示すバイパス口７６の閉鎖位置と、第２３図に示すバイパス口７６の開放位置とをとらせることが可能となっている。
【００８４】
次に、この排水トラップ１０Ｄの作動について説明する。
【００８５】
洗い場からの排水は、洗い場排水受入口１１を通って受入室２０内に流入し、封水筒６５の下側のクリアランスから封水室３０を通って排水トラップ流出口３１へ流出する。この洗い場排水の流出が停止すると、封水室３０内には、封水が残り、この封水に封水筒６５の下端が没するので、排水管６の臭気が洗い場排水受入口１１から浴室内に逆流することが防止される。
【００８６】
［旋回モード］
旋回モードとする場合、開閉蓋７７を閉めて第２２図のように第２の吐出部としてのバイパス口７６を閉鎖する。
【００８７】
浴槽からの排水は、ダクト部１４から浴槽排水流路６０を通って排水トラップ流出口３１に流出する。この際、該浴槽排水流路６０を流れる水の一部は、該浴槽排水流路６０の途中で導水部材本体７０に流入し、分岐管部７２を通り、第１の吐出部としての吐出口８４から受入室２０内へ周回方向に流出するため、受入室２０内に旋回流が形成されるようになる。また、この水の流入により受入室２０内の水位が上昇し、ヘアキャッチャー３７が旋回流に浸漬され、ヘアキャッチャー３７内の毛髪などのゴミがヘアキャッチャー３７の中心に集められる。これにより、ゴミを摘んで捨てることができるようになる。また、ヘアキャッチャー３７の内外面が旋回流に浸漬されて浄化され、ヌメリ等が除去される。
【００８８】
この実施の形態では、ノズル体８０にリング状の周板部８１が設けられ、吐出口８４から流出した水の多くが周板部８１上を旋回するので、旋回流が強力となる。
【００８９】
［高速排水モード］
高速排水モードとするには、第２３図の通り、開閉蓋７７をスライドさせて第２の吐出部としてのバイパス口７６を開ける。そうすると、浴槽排水流路６０から導水部材本体７０内に流入した水はバイパス口７６からも流出する。そのため、導水部材本体７０を経由して流出する水量が多くなり、浴槽排水が短時間で排出される。
【００９０】
なお、バイパス口７６を開けると共に、吐出口８４を閉鎖してもよい。このように、受入室内に水を流入させる吐出部の位置を変更して高速排水モードとしてもよい。
【００９１】
上記実施の形態はいずれも本発明の一例であり、本発明は図示以外の態様とされてもよい。例えば、本発明では、受入室排出口の大きさを変更することにより旋回モードと高速排水モードとを切り替えるようにしてもよい。
【符号の説明】
【００９２】
２  洗い場パン
３  浴槽
４  排水枡
１０，１０Ａ，１０Ｂ，１０Ｃ，１０Ｄ  排水トラップ
１１  洗い場排水受入口
１２  浴槽排水流入口
１３  浴槽パン排水口流入口
１４  ダクト部
２０  受入室
２０Ｐ，２０Ｑ  プレート
２１  周壁
２１ｉ  開放部
２２，２２Ａ，２２Ｂ，２２Ｃ  導入口
２３  受入室排出口
３０  封水室
３１  排水トラップ流出口
３４  フランジ
３７  ヘアキャッチャー
４０  バイパス流路
５０  内筒
５１  上部導入口
５２  下部導入口
５３，５４  流出部
６０  浴槽排水流路
６１  底板
６５  封水筒
７０  導水部材本体
７１  基端環状部
７２  分岐管部
７６  バイパス口
７７  開閉蓋
８０  ノズル体
８１  周板部
８２  切欠状部
８３  冠状部
８４  流出口
【図１】
0005733010.tif 000002
【図２】
0005733010.tif 000003
【図３】
0005733010.tif 000004
【図４】
0005733010.tif 000005
【図５】
0005733010.tif 000006
【図６】
0005733010.tif 000007
【図７】
0005733010.tif 000008
【図８】
0005733010.tif 000009
【図９】
0005733010.tif 000010
【図１０】
0005733010.tif 000011
【図１１】
0005733010.tif 000012
【図１２】
0005733010.tif 000013
【図１３】
0005733010.tif 000014
【図１４】
0005733010.tif 000015
【図１５】
0005733010.tif 000016
【図１６】
0005733010.tif 000017
【図１７】
0005733010.tif 000018
【図１８】
0005733010.tif 000019
【図１９】
0005733010.tif 000020
【図２０】
0005733010.tif 000021
【図２１】
0005733010.tif 000022
【図２２】
0005733010.tif 000023
【図２３】
0005733010.tif 000024